(57)【要約】【課題】  ブラシクリーニング方式において、クリーニング手段をわずかにすり抜けたトナーが滞留し蓄積することによるクリーニング不良や画像欠陥を防止し、長寿命で安定した性能を維持する。【解決手段】  搬送ベルト４２上（二次転写部）のトナーを除去する搬送ベルトクリーナ４８に２本のブラシロール５０Ａ、５０Ｂを設け、搬送ベルト回転方向の上流側に配置したブラシロール５０Ａにプラス極性のバイアスを印加し、下流側に配置したブラシロール５０Ｂにマイナス極性のバイアスを印加するとともに、中間転写ベルト２２上のトナーを除去する中間転写ベルトクリーナ５６に２本のブラシロール５８Ａ、５８Ｂを設け、中間転写ベルト回転方向の上流側に配置したブラシロール５８Ａにマイナス極性のバイアスを印加し、下流側に配置したブラシロール５８Ｂにプラス極性のバイアスを印加する。【選択図】    図２
2006259367.tif 000002
【特許請求の範囲】
【請求項１】
回転する感光体上に形成された所定の極性のトナー像が表面に一次転写されそのトナー像を二次転写部まで搬送する中間転写体と、前記搬送方向と同方向へ回転移動しつつ前記二次転写部でトナー像を前記中間転写体から記録媒体に二次転写させる二次転写部材と、前記中間転写体の表面に残留した残留トナーを除去する中間転写体クリーニング手段と、前記二次転写部材の表面に付着した付着トナーを除去する二次転写部材クリーニング手段と、を備える画像形成装置において、
前記中間転写体クリーニング手段は、
前記トナー像と同極性のバイアスが印加されて前記中間転写体の表転に回転接触する第１の中間転写体ブラシロールと、
前記第１の中間転写体ブラシロールよりも前記搬送方向における下流側に設けられ、前記トナー像と逆極性のバイアスが印加されて前記中間転写体の表転に回転接触する第２の中間転写体ブラシロールと、
を有し、
前記二次転写部材クリーニング手段は、
前記トナー像と逆極性のバイアスが印加されて前記二次転写部材の表面に回転接触する第１の二次転写部材ブラシロールと、
前記第１の二次転写部材ブラシロールよりも前記回転移動方向における下流側に設けられ、前記トナー像と同極性のバイアスが印加されて前記二次転写部材の表面に回転接触する第２の二次転写部材ブラシロールと、
を有することを特徴とする画像形成装置。
【請求項２】
前記感光体の表面に残留した残留トナーを除去する感光体クリーニング手段を更に備え、
前記感光体クリーニング手段は、
前記トナー像と逆極性のバイアスが印加されて前記感光体の表面に回転接触する第１の感光体ブラシロールと、
前記第１の感光体ブラシロールよりも前記回転方向における下流側に設けられ、前記トナー像と同極性のバイアスが印加されて前記感光体の表面に回転接触する第２の感光体ブラシロールと、
を有することを特徴とする請求項１記載の画像形成装置。
【発明の詳細な説明】
【技術分野】
【０００１】
本発明は、画像形成装置に係り、詳細には、感光体上に形成したトナー像を中間転写体に一次転写し、更に中間転写体上のトナー像を記録媒体に二次転写する中間転写体方式の画像形成装置に関する。
【背景技術】
【０００２】
電子写真技術により、感光体上に形成したトナー像を中間転写ベルトなどの中間転写体に一次転写し、更に中間転写体上のトナー像を用紙に二次転写する中間転写体方式の画像形成装置では、用紙への転写後に中間転写体上に残留する転写残トナー等をクリーニングする必要がある。
【０００３】
この残留トナーを中間転写体上からクリーニングするためのクリーニング手段は、従来、ブレードを用いたブレードクリーニング方式、あるいは、導電性ブラシロールを用いたブラシクリーニング（静電クリーニング）方式を採用している。
【０００４】
ただし、ブレードの場合、エッジ欠けや紙粉、異物等の挟み込みによる突発的なクリーニング不良、あるいは、経時でのブレード磨耗によるクリーニング性能の低下やクリーニング対象物を磨耗させるといった問題がある。
【０００５】
これに対し、ブラシロールではブレードのような突発的な故障は起こりにくく、磨耗も少ないことから経時にわたってクリーニング性能を維持できる利点があることから、画像形成装置の長寿命化に向けて、従来はブレードを用いている中間転写体、二次転写部、及び感光体のクリーニング手段を全てブラシクリーナとすることが考えられる。
【０００６】
しかし、ブラシクリーニング方式ではブレードに比べて密閉性が低く、クリーニング対象のトナーがクリーナをわずかにすり抜けてしまう場合がある。そのため、このすり抜けトナーが他の機能部材に転移して循環し、経時で蓄積されると、画像欠陥などを発生させ信頼性を低下させてしまう。
【０００７】
これに関し、中間転写体のクリーニングにおいて異なる極性のバイアスを印加する２本のブラシロール（導電性ファーブラシ）を用い、中間転写体の回転方向上流側から正極、負極の順に配置することにより、転写残トナーなどの両極の混在したトナーを回収する技術が提案されている（例えば、特許文献１参照）。また、ブラシロールの上流側に設けた帯電ロールに負極性のバイアスを印加し、トナーを負極性に帯電させてから、正極性のバイアスを印加したブラシロールによりクリーニングする技術が提案されている（例えば、特許文献２参照）。
【特許文献１】特開２００２−２２９３４４号公報
【特許文献２】特開２００１−２０１９４９号公報
【発明の開示】
【発明が解決しようとする課題】
【０００８】
しかしながら、上記特許文献１の技術では、高湿環境下などで転写率が低下し、中間転写体クリーナへ突入するトナー量が増加した場合などでクリーニング不良が発生すると、クリーナをわずかにすり抜けたトナー極性はマイナスとなりやすく、感光体と中間転写体との間の一次転写部では回収されないため、画質欠陥となって現れてしまう。
【０００９】
一方、特許文献２の技術では、残留トナーが中間転写体クリーナを通過した場合に極性は正極となるため、例えば上記の一次転写部で、その正極性に帯電した残留トナーを感光体のクリーナに回収することも可能となる。しかしこの場合は、ブラシロールが単一であるため、トナーのすり抜け量が多くなって感光体クリーナへ突入するトナー量が増加し、感光体でのクリーニング不良が発生してしまう。
【００１０】
本発明は上記事実を考慮して、ブラシクリーニング方式において、クリーニング手段をわずかにすり抜けたトナーが滞留し蓄積することによるクリーニング不良や画像欠陥を防止し、長寿命で安定した性能を維持することができる画像形成装置を提供することを課題とする。
【課題を解決するための手段】
【００１１】
上記目的を達成するために請求項１に記載の発明は、回転する感光体上に形成された所定の極性のトナー像が表面に一次転写されそのトナー像を二次転写部まで搬送する中間転写体と、前記搬送方向と同方向へ回転移動しつつ前記二次転写部でトナー像を前記中間転写体から記録媒体に二次転写させる二次転写部材と、前記中間転写体の表面に残留した残留トナーを除去する中間転写体クリーニング手段と、前記二次転写部材の表面に付着した付着トナーを除去する二次転写部材クリーニング手段と、を備える画像形成装置において、前記中間転写体クリーニング手段は、前記トナー像と同極性のバイアスが印加されて前記中間転写体の表転に回転接触する第１の中間転写体ブラシロールと、前記第１の中間転写体ブラシロールよりも前記搬送方向における下流側に設けられ、前記トナー像と逆極性のバイアスが印加されて前記中間転写体の表転に回転接触する第２の中間転写体ブラシロールと、を有し、前記二次転写部材クリーニング手段は、前記トナー像と逆極性のバイアスが印加されて前記二次転写部材の表面に回転接触する第１の二次転写部材ブラシロールと、前記第１の二次転写部材ブラシロールよりも前記回転移動方向における下流側に設けられ、前記トナー像と同極性のバイアスが印加されて前記二次転写部材の表面に回転接触する第２の二次転写部材ブラシロールと、を有することを特徴としている。
【００１２】
請求項１に記載の発明では、二次転写部材クリーニング手段に２つの二次転写部材ブラシロールを設け、二次転写部材の回転移動方向における上流側に配置した第１の二次転写部材ブラシロールに、トナー像と逆極性（例えば正極）のバイアスを印加し、下流側に配置した第２の二次転写部材ブラシロールに、トナー像と同極性（例えば負極）のバイアスを印加することにより、二次転写部材クリーニング手段をわずかにすり抜けたトナーは、形成時と同極性（例えば負極）となる。
【００１３】
よって、二次転写部に、トナー像を中間転写体から記録媒体に転写する方向の転写バイアスを印加した場合には、このすり抜けトナーは記録媒体に静電的に転移しないが、例えば形成画像間のインターイメージで転写時とは逆極性のバイアスを印加することより、すり抜けトナーは中間転写体側に転移する。
【００１４】
また、中間転写体クリーニング手段に２つの中間転写体ブラシロールを設け、トナー像の搬送方向（中間転写体に移動方向）における上流側に配置した第１の中間転写体ブラシロールに、トナー像と同極性（例えば負極）のバイアスを印加し、下流側に配置した第２の中間転写体ブラシロールに、トナー像と逆極性（例えば正極）のバイアスを印加することにより、二次転写部から搬送されて中間転写体クリーニング手段に入ったすり抜けたトナーは、第１の中間転写体ブラシロールで形成時と同極性（例えば負極）に再帯電されつつ、ブラシロールの機械的な掻き取り力により中間転写体との付着力が弱められ、形成時と逆極性のバイアスが印加された第２の中間転写体ブラシロールにより確実に回収される。
【００１５】
請求項２に記載の発明は、請求項１記載の画像形成装置において、前記感光体の表面に残留した残留トナーを除去する感光体クリーニング手段を更に備え、前記感光体クリーニング手段は、前記トナー像と逆極性のバイアスが印加されて前記感光体の表面に回転接触する第１の感光体ブラシロールと、前記第１の感光体ブラシロールよりも前記回転方向における下流側に設けられ、前記トナー像と同極性のバイアスが印加されて前記感光体の表面に回転接触する第２の感光体ブラシロールと、を有することを特徴としている。
【００１６】
請求項２に記載の発明では、中間転写体クリーニング手段でトナーがわずかにすり抜けた場合には、そのすり抜けトナーは形成時と逆極性（例えば正極）になる。よって、このすり抜けトナーが搬送され一次転写部まで戻り、一次転写部で転写時と同極性（トナー像を感光体から中間転写体に転写する方向）の転写バイアスを印加すると、すり抜けトナーは感光体側に転移する。
【００１７】
また、感光体クリーニング手段に２つの感光体ブラシロールを設け、感光体の回転方向における上流側に配置した第１の感光体ブラシロールに、トナー像と逆極性（例えば正極）のバイアスを印加し、下流側に配置した第２の感光体ブラシロールに、トナー像と同極性（例えば負極）のバイアスを印加することにより、感光体上に転移したトナーは、第１の感光体ブラシロールで形成時と逆極性（例えば正極）に再帯電されつつ、ブラシロールの機械的な掻き取り力により感光体との付着力が弱められ、形成時と同極性のバイアスが印加された第２の感光体ブラシロールにより確実に回収される。
【００１８】
また、仮にこの感光体クリーニング手段でトナーがわずかにすり抜けた場合でも、そのすり抜けトナーは形成時と逆極性（例えば正極）であるため、例えば感光体の回転方向下流側に設けられた現像部で現像同時回収することができる。
【発明の効果】
【００１９】
本発明の画像形成装置は上記構成としたので、クリーニング手段をわずかにすり抜けたトナーが滞留し蓄積することによるクリーニング不良や画像欠陥を防止し、長寿命で安定した性能を維持することができる
【発明を実施するための最良の形態】
【００２０】
以下、図面を参照して本発明の実施形態に係る画像形成装置について説明する。
【００２１】
図１に示されるように、本実施形態の画像形成装置１０は、装置内の略中央に、図中の矢印Ａ方向（右回転方向）へ回転駆動する感光体１２が設けられている。感光体１２の上方には、感光体１２の表面を帯電する帯電ロールを備えた帯電装置１４が配置され、さらに装置内の上部に位置して、帯電装置１４により帯電された感光体１２の表面にレーザ光Ｌを照射し静電潜像を形成する露光装置１６が設けられている。
【００２２】
感光体１２の右側方には、感光体１２上に形成された静電潜像をトナー像に現像するロータリ現像装置１８が隣接配置されている。このロータリ現像装置１８は、イエロー（Ｙｅｌｌｏｗ）、マゼンタ（Ｍａｇｅｎｔａ）、シアン（Ｃｙａｎ）及び黒（Ｂｌａｃｋ）の４色のトナー像をそれぞれ形成する現像器２０Ｙ、２０Ｍ、２０Ｃ、２０Ｋを備えている。
【００２３】
感光体１２の下方には、ロータリ現像装置１８によって可視化されたトナー像が転写される中間転写ベルト２２が設けられており、さらに中間転写ベルト２２を挟んで一次転写ロール２４が対向配置されている。この感光体１２と中間転写ベルト２２の接触部が一次転写部Ｔ１とされ、一次転写ロール２４には正極性の一次転写バイアスが印加される。
【００２４】
感光体１２の左側方には、一次転写後に感光体１２上に残留する転写残トナーを除去する感光体クリーナ２６が隣接配置されている。この感光体クリーナ２６は、感光体１２の表面に圧接して感光体１２の回転方向と反対方向に回転駆動し転写残トナーを擦り取る２本のブラシロール２８Ａ、２８Ｂを備えており、さらに、各ブラシロール２８Ａ、２８Ｂからトナーを回収する２本の回収ロール３０Ａ、３０Ｂ、及び、各回収ロール３０Ａ、３０Ｂからトナーを掻き落とす２個のスクレーパ３２Ａ、３２Ｂを備えている。
【００２５】
中間転写ベルト２２は、駆動ロール３４、二次転写バックアップロール３６、及びブラシバックアップロール３８に巻き掛けられ、感光体１２の回転に同期して同方向に回転移動する。これにより、中間転写ベルト２２は、一次転写部Ｔ１で一次転写ロール２４により感光体１２上のトナー像がイエロー、マゼンタ、シアン、黒の順に重ねて一次転写され、この一次転写されたトナー像を下記の二次転写部Ｔ２（二次転写ロール４４）に向けて搬送する。
【００２６】
中間転写ベルト２２の下方には、搬送路４０を挟んで搬送ベルト４２が設けられている。搬送ベルト４２は、二次転写バックアップロール３６に対向して配置された二次転写ロール４４、及び駆動ロール４６に巻き掛けられ、中間転写ベルト２２の回転に同期して同方向に回転移動する。この中間転写ベルト２２と搬送ベルト４２の間が二次転写部Ｔ２とされ、二次転写ロール４４には負極性の二次転写バイアスが印加される。二次転写ロール４４は、二次転写バックアップロール３６の補助により、中間転写ベルト２２に一次転写されたトナー像を二次転写部Ｔ２で用紙Ｐに二次転写する。また、この二次転写ロール４４は、中間転写ベルト２２が３回転する間、すなわちイエロー、マゼンタ、シアンの３色のトナー像を搬送する間は中間転写ベルト２２から離間しており、黒のトナー像が転写されると中間転写ベルト２２に略当接する。
【００２７】
搬送ベルト４２を回転支持する二次転写ロール４４の左側方には、中間転写ベルト２２から搬送ベルト４２上に付着するトナーを除去する搬送ベルトクリーナ（二次転写部クリーナ）４８が隣接配置されている。搬送ベルトクリーナ４８は、上述した感光体クリーナ２６と同様に、搬送ベルト４２の表面に圧接して搬送ベルト４２の回転方向と反対方向に回転駆動し付着トナーを擦り取る２本のブラシロール５０Ａ、５０Ｂ、各ブラシロール５０Ａ、５０Ｂからトナーを回収する２本の回収ロール５２Ａ、５２Ｂ、及び、各回収ロール５２Ａ、５２Ｂからトナーを掻き落とす２個のスクレーパ５４Ａ、５４Ｂを備えている。
【００２８】
中間転写ベルト２２を回転支持するブラシバックアップロール３８の右側方には、二次転写後に中間転写ベルト２２上に残留する転写残トナーを除去する中間転写ベルトクリーナ５６が接離可能に設けられている。この中間転写ベルトクリーナ５６は、中間転写ベルト２２がトナー像を搬送する間は中間転写ベルト２２から離間しており、クリーニング時に中間転写ベルト２２に当接する。この中間転写ベルトクリーナ５６も感光体クリーナ２６と同様に、クリーニング時に中間転写ベルト２２の表面に圧接しつつ中間転写ベルト２２の回転方向と反対方向に回転駆動して転写残トナーを擦り取る２本のブラシロール５８Ａ、５８Ｂ、各ブラシロール５８Ａ、５８Ｂからトナーを回収する２本の回収ロール６０Ａ、６０Ｂ、及び、各回収ロール６０Ａ、６０Ｂからトナーを掻き落とす２個のスクレーパ６２Ａ、６２Ｂを備えている。
【００２９】
画像形成装置１０の下部左側には、用紙Ｐが収納される給紙トレイ６４が設けられている。給紙トレイ６４の右側近傍には、給紙トレイ６４から用紙Ｐを搬送路４０に送り出すフィードロール６６、及び、送り出される用紙Ｐを１枚ずつ捌くリタードロール６８が配置されている。
【００３０】
装置内における下部右側には、加熱ロール７２及び加圧ロール７４を備えた定着装置７０と、その右側に一対の排出ロール７６、７８とが設けられている。この排出ロール７６、７８と対応する装置右側壁部位には排出口８０が形成されており、排出口８０の下縁部には、右側方（外側）へ延出された排紙トレイ８２が設けられている。また、用紙Ｐが搬送される搬送路４０は、フィードロール６６から二次転写部Ｔ２、搬送ベルト４２上、及び定着装置７０を経由して、排出ロール７６、７８まで延設されている。
【００３１】
次に、本実施形態の画像形成装置１０に設けられた各クリーナの各ブラシロールに印加するバイアスの極性について説明する。
【００３２】
本実施形態の感光体クリーナ２６、搬送ベルトクリーナ４８、及び中間転写ベルトクリーナ５６にそれぞれ２本ずつ設けられたブラシロール（クリーニングブラシ）は、導電性を有するロール軸の外周面に、例えばナイロン繊維等からなる多数の導電性ブラシを放射状に植毛して形成したものである。
【００３３】
ここで、図２に示されるように、感光体クリーナ２６では、感光体１２の回転方向（トナー像の搬送方向）における上流側に配置されたブラシロール２８Ａに、トナー像と逆極性となるプラス極性のバイアスが印加され、下流側に配置されたブラシロール２８Ｂに、トナー像と同極性となるマイナス極性のバイアスが印加される。
【００３４】
また、搬送ベルトクリーナ４８では、搬送ベルト４２の回転移動方向における上流側に配置されたブラシロール５０Ａにプラス極性のバイアスが印加され、下流側に配置されたブラシロール５０Ｂにマイナス極性のバイアスが印加される。
【００３５】
また、中間転写ベルトクリーナ５６では、中間転写ベルト２２の回転移動方向（トナー像搬送方向）における上流側に配置されたブラシロール５８Ａにマイナス極性のバイアスが印加され、下流側に配置されたブラシロール５８Ｂにプラス極性のバイアスが印加される。
【００３６】
次に、上記の構成とされた本実施形態の画像形成装置１０によるカラー画像形成動作について説明する。
【００３７】
画像形成装置１０に画像形成信号が入力されると、感光体１２が帯電装置１４により一様に帯電され、この帯電された感光体１２には、画像形成信号に基づいて露光装置１６からレーザ光Ｌが照射される。このレーザ光Ｌにより、感光体１２の表面が露光され、静電潜像が形成される。感光体１２上に形成された静電潜像は、ロータリ現像装置１８の現像器２０Ｙ、２０Ｍ、２０Ｃ、２０Ｋによってイエロー、マゼンタ、シアン、黒のトナー像を現像され、一次転写部Ｔ１で中間転写ベルト２２に重ねて一次転写される。また、一次転写後に感光体１２上に残留する転写残トナーは、感光体クリーナ２６のブラシロール２８Ａ、２８Ｂによって擦り取られ除去される。
【００３８】
一方、給紙トレイ６４に収納された用紙Ｐは、フィードロール６６により送り出され、リタードロール１８により捌かれて最上部の用紙Ｐのみが搬送路４０に導かれ、所定のタイミングで二次転写ロール４４と二次転写バックアップロール３６との間、すなわち二次転写部Ｔ２に送り込まれる。この二次転写部Ｔ２で、中間転写ベルト２２に一次転写されているトナー像が用紙Ｐに二次転写される。トナー像が転写された用紙Ｐは、搬送ベルト４２に搬送されて定着装置７０に導かれ、加熱ロール７２と加圧ロール７４とによる熱圧力によってトナー像が定着される。そしてこのトナー像の定着により画像形成された用紙Ｐは、排出ロール７６、７８により排出口８０から排紙トレイ８２へ排出される。
【００３９】
また、二次転写後に中間転写ベルト２２の画像領域に残留した転写残トナーは、中間転写ベルトクリーナ５６のブラシロール５８Ａ、５８Ｂによって擦り取られ除去され、搬送ベルト４２に付着したトナーは、搬送ベルトクリーナ４８のブラシロール５０Ａ、５０Ｂよって擦り取られ除去される。以上の動作により、画像形成装置１０によって用紙にカラー画像が形成される。
【００４０】
次に、本実施形態の画像形成装置１０による作用について説明する。
【００４１】
画像形成装置１０では、二次転写部Ｔ２で中間転写ベルト２２から搬送ベルト４２へ転移（付着）したトナーＴＮＡが搬送ベルト４２の回転移動に伴い搬送ベルトクリーナ４８に入ると、回転するブラシロール５８Ａ、５８Ｂの機械的な掻き取り力により搬送ベルト４２から除去される。ここで、搬送ベルトクリーナ４８に除去されずにわずにすり抜けたトナーがあった場合、そのトナーＴＮＢはブラシロール５０Ｂからマイナス極性のバイアスを印加されることでマイナス極性に帯電する。
【００４２】
続いて、二次転写部Ｔ２に、形成画像（画像領域）間のインターイメージ（非画像領域）で転写時とは逆極性となるプラス極性のバイアスを印加すると、トナーＴＮＢは搬送ベルト４２上から中間転写ベルト２２に逆転写される。
【００４３】
この中間転写ベルト２２に転移したトナーＴＮＢが中間転写ベルト２２の回転移動に伴い中間転写ベルトクリーナ５６に入ると、ブラシロール５８Ａからマイナス極性のバイアスを印加されることでマイナス極性に再帯電されつつ、回転するブラシロール５８Ａの機械的な掻き取り力により中間転写ベルト２２との付着力が弱められ、プラス極性のバイアスが印加された下流側のブラシロール５８Ｂにより良好に除去される。
【００４４】
また、この中間転写ベルトクリーナ５６に除去されずにわずにすり抜けたトナーがあった場合、そのトナーＴＮＣはブラシロール５８Ｂからプラス極性のバイアスを印加されることでプラス極性に帯電する。
【００４５】
トナーＴＮＣが中間転写ベルト２２の回転移動に伴って一次転写部Ｔ１まで戻り、一次転写部Ｔ１で転写時と同極性となるプラス極性の転写バイアスを印加すると、トナーＴＮＣは中間転写ベルト２２上から感光体１２に逆転写される。
【００４６】
この感光体１２に転移したトナーＴＮＣが感光体１２の回転に伴い感光体クリーナ２６に入ると、ブラシロール２８Ａからマイナス極性のバイアスを印加されることでマイナス極性に再帯電されつつ、回転するブラシロール２８Ａの機械的な掻き取り力により感光体１２との付着力が弱められ、プラス極性のバイアスが印加された下流側のブラシロール２８Ｂにより良好に除去される。
【００４７】
また、仮にこの感光体クリーナ２６でトナーがわずかにすり抜けた場合でも、そのすり抜けトナーＴＮＤはブラシロール２８Ｂからプラス極性のバイアスを印加されることでプラス極性に帯電するため、感光体１２の回転方向下流側に設けられたロータリ現像装置１８で現像同時回収することができる。
【００４８】
以上説明したように、本実施形態の画像形成装置１０では、搬送ベルト４２に付着したトナー（トナーＴＮＡ）が搬送ベルトクリーナ４８をわずかにすり抜けてしまっても、そのすり抜けトナー（トナーＴＮＢ）を中間転写ベルト２２に転移させて中間転写ベルトクリーナ５６により良好に除去、回収することができる。また、中間転写ベルトクリーナ５６をわずかにすり抜けてしまっても、そのすり抜けトナー（トナーＴＮＣ）を感光体１２に転移させて感光体クリーナ２６により良好に除去、回収することができる。さらに、感光体クリーナ２６をわずかにすり抜けてしまっても、そのすり抜けトナー（トナーＴＮＤ）をロータリ現像装置１８で現像同時回収することができる。
【００４９】
したがって、上述したように感光体１２、中間転写ベルト２２、及び搬送ベルト４２（二次転写部）の各クリーナを全てブラシクリーニング方式とした画像形成装置１０において、クリーナをわずかにすり抜けたトナーが滞留し蓄積することによるクリーニング不良や画像欠陥を防止することができ、長寿命で安定した性能を維持することができる。
【００５０】
以上、本発明を上述した特定の実施形態により詳細に説明したが、本発明はその実施形態に限定されるものではなく、本発明の範囲内にて他の種々の形態が実施可能である。
【図面の簡単な説明】
【００５１】
【図１】本発明の一実施形態に係る画像形成装置の全体構成を示す構成図である。
【図２】本発明の一実施形態に係る感光体クリーナ、搬送ベルトクリーナ、及び中間転写ベルトクリーナを示す拡大構成図である。
【符号の説明】
【００５２】
１０   画像形成装置
２２   中間転写ベルト（中間転写体）
２６   感光体クリーナ（感光体クリーニング手段）
２８Ａ ブラシロール（第１の感光体ブラシロール）
２８Ｂ ブラシロール（第２の感光体ブラシロール）
４２   搬送ベルト（二次転写部材）
４４   二次転写ロール
４８   搬送ベルトクリーナ（二次転写部材クリーニング手段）
５０Ａ ブラシロール（第１の二次転写部材ブラシロール）
５０Ｂ ブラシロール（第１の二次転写部材ブラシロール）
５６   中間転写ベルトクリーナ（中間転写体クリーニング手段）
５８Ａ ブラシロール（第１の中間転写体ブラシロール）
５８Ｂ ブラシロール（第２の中間転写体ブラシロール）
Ｐ     用紙（記録媒体）
ＴＮＡ トナー
ＴＮＢ トナー
ＴＮＣ トナー
ＴＮＤ トナー
【図１】
2006259367.tif 000003
【図２】
2006259367.tif 000004